(57)【特許請求の範囲】
【請求項１】
可変情報を含む画像部分を、印刷媒体に対して連続的に印刷するための装置であって、
可変情報エリアを印刷する印刷ユニットは、印刷媒体の可変情報エリアのパート数と同じ数の印刷ユニットを備え、
印刷媒体の可変情報エリアを印刷する各印刷ユニットの刷版は、一パートの画像部分を有する印刷面を複数段備えるとともに、各印刷ユニットの刷版における印刷面の少なくとも一つの段には、他の段と同一の画像部分が存在しないようにし、
一の刷版における印刷面の段数は、他の刷版における印刷面の段数と異ならせ、
異ならせる刷版の送り方向長さは、送り方向の印刷面ピッチの倍数とした可変情報印刷装置。
【請求項２】
各印刷ユニットの刷版における印刷面の段数は、１以外の公約数を持たない組合せとした請求項１記載の可変情報印刷装置。
【請求項３】
各印刷ユニットの刷版における印刷面が刷版の幅方向に複数存在する場合に、
同一段における印刷面の各列には、同一の画像部分が存在しないようにした請求項１または請求項２のいずれかに記載の可変情報印刷装置。
【請求項４】
可変情報を含む画像部分を、可変情報エリアのパート数と同じユニット数の印刷ユニットを備える印刷装置によって製造する可変情報印刷物の製造方法であって、
その印刷装置は、印刷媒体の可変情報エリアを印刷する印刷ユニットは、可変情報エリアのパート数と同じ数の印刷ユニットを備え、
可変情報エリアを印刷する各印刷ユニットの刷版は、一パートの画像部分を有する印刷面を複数段備えるとともに、各印刷ユニットの刷版における印刷面の少なくとも一つの段には、他の段と同一の画像部分が存在しないようにし、
一の刷版における印刷面の段数は、他の刷版における印刷面の段数と異ならせ、
異ならせる刷版の送り方向長さは、周囲方向の印刷面ピッチの倍数とした印刷装置であり、
前記一の印刷ユニットによって、印刷媒体の可変情報エリアにおける一パートの画像部分を印刷する第一印刷工程と、
前記他の一の印刷ユニットによって、印刷媒体の可変情報エリアにおける他の一パートの画像部分を印刷する第二印刷工程とを備えた可変情報印刷物の製造方法。
【請求項５】
印刷装置につき、各印刷ユニットの刷版における印刷面の段数は、１以外の公約数を持たない組合せとした請求項４記載の可変情報印刷物の製造方法。
【請求項６】
印刷装置につき、各印刷ユニットの刷版における印刷面が刷版の幅方向に複数存在する場合に、
同一段における印刷面の各列には、同一の画像部分が存在しないようにした請求項４または請求項５のいずれかに記載の可変情報印刷物の製造方法。
【発明の詳細な説明】
【０００１】
【発明が属する技術分野】
本発明は、可変情報を含む印刷物を印刷する技術に関する。印刷媒体は紙に限られるものではなく、合成紙、合成樹脂シート、樹脂フィルム、皮革、金属などでもよい。
【０００２】
【先行技術】
可変情報を含む印刷物を印刷するには、印刷機とその印刷機に同期して作動する機械式カウンタとの組み合わせにて達成する手法、コンピュータと印刷機とを連動させたデジタル処理によって達成する手法などがある。
【０００３】
特許文献の検索データベースを用い、「可変情報＊印刷」というキーワードにて検索したところ、特開２００１−３４１７０号、特開平１１−２７２６５３号などを抽出した。前者は「貼着ラベル」に関する技術を開示しており、後者は「可変プリントシステム」すなわち「可変情報の印刷に関する制御技術」を開示している。
【０００４】
【発明が解決しようとする課題】
以上のような先行技術は、可変情報を含まない印刷物の印刷技術に比べて、印刷速度において劣るものであった。まず、機械式カウンタを用いる場合、カウンタの動きが輪転機などの印刷機に比べて格段に遅いため、カウンタの速度がボトルネックとなり、可変情報を含まない印刷に比べて印刷速度が遅くなっていた。
なお、極めて速度の速いカウンタも存在するが、特殊な製品であるために極めて高価であり、通常は用いられていない。
【０００５】
また、デジタル処理の場合、設備が大変高価であり、可変情報を含まない輪転式の印刷に比べると、１０分の１以下にまで印刷速度が遅くなってしまう。加えて、デジタル処理による手法の場合はインクジェットプリンタを用いるので、印刷品質がアナログ印刷に比べて劣り、単色印刷しか行えないという欠点もある。
印刷速度が遅いということは、印刷コストへはね返る。このため、可変情報を含む印刷物は、可変情報を含まない印刷物に比べて印刷コストが高いということが常識であった。
【０００６】
そこで、本発明が解決しようとする課題は、可変情報を含む印刷物であっても、可変情報を含まない印刷物と差のない印刷速度、および印刷品質にて印刷を可能とする技術を提供することにある。
請求項１から請求項３に記載の発明の目的は、可変情報を含む印刷物であっても、可変情報を含まない印刷物と差のない印刷速度、および印刷品質にて印刷を可能とする印刷装置を提供することである。
また、請求項４から請求項６に記載の発明の目的は、可変情報を含む印刷物であっても、可変情報を含まない印刷物と差のない印刷速度、および印刷品質にて印刷を可能とする可変情報印刷物の製造方法を提供することである。
【０００７】
なお、前述したように、特許文献の検索データベースを用い、「可変情報＊印刷」というキーワードにて検索したが、本願発明に類似する技術は発見できなかった。また、（株）野村総合研究所が提供する特許検索サービスの検索メニュー「概念検索」を用い、「デジタル処理を用いずに、可変情報を印刷する。」という文章にて検索をしたが、デジタル印刷技術に関する特許出願ばかりが抽出され、本願発明に類似する技術は発見できなかった。
【０００８】
【課題を解決するための手段】
本発明は、上記した課題を解決するためのものである。
【０００９】
（請求項１）
請求項１記載の発明は、可変情報を含む画像部分を、印刷媒体に対して連続的に印刷するための印刷装置に係る。  すなわち、印刷媒体の可変情報エリアを印刷する印刷ユニットは、可変情報エリアのパート数と同じ数の印刷ユニットを備え、  印刷媒体の可変情報エリアを印刷する各印刷ユニットの刷版は、一パートの画像部分を有する印刷面を複数段備えるとともに、各印刷ユニットの刷版における印刷面の少なくとも一つの段には、他の段と同一の画像部分が存在しないようにし、  一の刷版における印刷面の段数は、他の刷版における印刷面の段数と異ならせ、  異ならせる刷版の送り方向長さは、周囲方向の印刷面ピッチの倍数とした可変情報印刷装置に係る。
【００１０】
（用語説明）
「可変情報」としては、数字、文字、記号、絵柄、色彩など、通常用いられる可変情報が含まれる。
「印刷媒体」としては、紙、樹脂シートなど、被印刷体として用いられる通常用いられるものである。
「印刷装置」としては、輪転式印刷装置のほか、平板式印刷装置であってもよい。「連続的に印刷する」とは、印刷媒体がロール紙のように連続しているものであってもよいし、いわゆるカットシートであってもよい。
【００１１】
「印刷ユニット」とは、輪転式印刷装置であれば、刷版および版胴の組合せを備えたユニット、平板式印刷装置であれば、刷版および送り方向寸法制御装置の組合せを備えたものである。
【００１２】
「可変情報エリアのパート数」とは、例えば、五桁一列の数字であればパート数は「５」となり、田の字に区切られた可変情報エリアであればパート数は「４」となる。しかし、例えば田の字に区切られた可変情報エリアを左右に分け、上下をそれぞれイラストおよび文字の一組として使用するのであれば、パート数は「２」となる。ひとつのパートの画像部分を担当する印刷ユニットにおける刷版の各段には、異なる画像部分を用意している。すべての段で、それぞれ異なっていてもよいが、皆同じでなければよい。
【００１３】
（作用）
説明の便宜のため、印刷媒体がカットシート、カットシートの送り方向寸法が段数の最も多い印刷ユニットにおける刷版の送り方向寸法と同一とする。また、一番段数の多い印刷ユニットと二番目に段数の多い印刷ユニットとの段数の差は、一段であるとする。
【００１４】
段数の最も多い印刷ユニットによって、印刷媒体に対し、可変情報エリアの一つ目のパートへ可変情報が印刷される。この印刷枚数は、段数が二番目に多い印刷ユニットの段数と同じ枚数が少なくとも印刷されたとする。さて、この時点では、可変情報は段数と同じであり、複数枚印刷されているが、全てのカットシートへ同じ印刷が施されている。
【００１５】
続いて、段数が二番目に多い印刷ユニットでの印刷を行う。すると、一枚目のカットシートに対して、二番目の印刷ユニットにおける刷版が一回目の印刷を行う。すると二番目の印刷ユニットの可変情報が印刷されていくが、最初の段数よりも少ない段数部分は印刷されない。そこで、二番目の印刷ユニットにおける刷版が二回目の印刷を行う。すると、一枚目のカットシートにおける残りの一段と、二枚目のカットシートの下二段までが印刷されることとなり、一枚目のカットシートに対する二番目の印刷ユニットによる印刷は終了する。更に、三回目の印刷が行われれば、二枚目のカットシートに対する二番目の印刷ユニットによる印刷は終了する。
【００１６】
さて、この時点で一枚目のカットシートと二枚目のカットシートとを比べてみる。すると、二機の印刷ユニットによる可変情報によって可変情報エリアの二パートが印刷されている。一番目の印刷ユニットによる印刷のみでは、一枚目のカットシートと二枚目のカットシートへの印刷には区別がなかったが、一番目の印刷ユニットによる印刷が終えると、最終段に印刷された可変情報は異なる。すなわち、一枚目のカットシートの最終段は、二機目の印刷ユニットにおける最初の可変情報が印刷されており、二枚目のカットシートの最終段は、二機目の印刷ユニットにおける二番目の可変情報が印刷されているのである。このため、一枚目のカットシートと二枚目のカットシートとは、印刷されている可変情報が異なり、しかも、それぞれの可変情報エリアには異なる可変情報が印刷されている。
【００１７】
以上のように、二機の印刷ユニットによって、その印刷ユニットの段数と同じ枚数のカットシートは、全て異なる可変情報が印刷されることとなる。機械式のカウンタもデジタル処理も使用していないので、印刷速度が落ちることも印刷品質が劣ることもない。
なお、印刷媒体がカットシート、カットシートの送り方向寸法が段数の最も多い印刷ユニットにおける刷版の送り方向寸法と同一、一番段数の多い印刷ユニットと二番目に段数の多い印刷ユニットとの段数の差が一段、としたのは、本願発明の作用を説明する便宜のためであり、本願発明はこれらの条件に限られない。
【００１８】
（請求項２）
請求項２記載の発明は、請求項１記載の可変情報印刷装置を限定したものであり、
各印刷ユニットの刷版における印刷面の段数は、１以外の公約数を持たない組合せとした可変情報印刷装置に係る。
【００１９】
（用語説明）
「１以外の公約数を持たない組合せ」とは、例えば、三機の印刷ユニットの組合せにおいて、それぞれの段数が２０，１９，１７段となる組合せ、１９，１８，１７段となる組合せ、３，４，５段となる組合せなどである。
更に具体的に説明する。印刷ユニットが版胴を用いる輪転式印刷装置の場合において、版胴の回転を司るギア数が一歯飛びとなるように、その版胴を用意してあるとする。したがって、版胴の周囲長さはギアピッチ分（例えば３．１７５ミリメートル）ずつずれたものが多数用意されている。一方、通常、刷版の厚さ寸法は同一である。そこで、印刷媒体へ印刷される印刷物の一面に対する送り方向寸法（１ピッチ）を、ドブ幅で調整しつつ、版胴のギア数が１以外の公約数を持たない組合せにて選択する。
【００２０】
例えば、１ピッチを７ギア分とした場合、それぞれの段数が２０，１９，１７段となる組合せの場合には、１４０ギア、１３３ギア、１１９ギアの版胴が選択される。２０，１９，１７段の組合せには、１以外の公約数が存在しない。
【００２１】
（作用）
第一の印刷ユニットにて印刷された印刷媒体が、第二の印刷ユニットで印刷される場合に、１ショットごとに二つの印刷ユニットにおける刷版の段の差数だけずれる。このとき、公約数を持たない組合せとすると、同等の段数からなる印刷ユニットであって段数に公約数を持つ組合せと比較した場合に、形成できる可変情報の種類を多く確保できる。
【００２２】
具体的に説明する。二機の印刷ユニットの組合せにおいて、それぞれの段数が９，６段となる組合せ、９，７段となる組合せを比較する。９，６段の組合せでは、二機の印刷ユニットによる４枚目の印刷物が１枚目の印刷物と同じになってしまうため、９段×３種類で２７段の可変情報しか印刷できない。一方、９，７段の組合せでは、二機の印刷ユニットによる８枚目の印刷物が１枚目の印刷物と同じとなるため、９段×７種類で６３段の可変情報が印刷できる。
【００２３】
（請求項３）
請求項３記載の発明は、請求項１または請求項２のいずれかに記載の可変情報印刷装置を限定したものであり、
各印刷ユニットの刷版における印刷面が刷版の幅方向に複数存在する場合に、同一段における印刷面の各列には、同一の画像部分が存在しないようにした可変情報印刷装置に係る。
【００２４】
（作用）
同一段における印刷面の各列には、同一の画像部分が存在しないように刷版を形成すれば、少ないユニット数で多数の可変情報の印刷物を印刷できる。
【００２５】
（請求項４）
請求項４記載の発明は、複数桁の可変情報が印刷されている可変情報印刷物を、可変情報の桁数と同じユニット数の印刷ユニットを備える印刷装置によって製造する可変情報印刷物の製造方法に係る。
その印刷装置は、印刷媒体の可変情報エリアを印刷する印刷ユニットは、可変情報エリアのパート数と同じ数の印刷ユニットを備え、  可変情報エリアを印刷する各印刷ユニットの刷版は、一パートの画像部分を有する印刷面を複数段備えるとともに、各印刷ユニットの刷版における印刷面の少なくとも一つの段には、他の段と同一の画像部分が存在しないようにし、  一の刷版における印刷面の段数は、他の刷版における印刷面の段数と異ならせ、異ならせる刷版の送り方向長さは、周囲方向の印刷面ピッチの倍数とした印刷装置である。
その印刷装置において、前記一の印刷ユニットによって、印刷媒体の可変情報エリアにおける一パートの画像部分を印刷する第一印刷工程と、  前記他の一の印刷ユニットによって、印刷媒体の可変情報エリアにおける他の一パートの画像部分を印刷する第二印刷工程とを備えた可変情報印刷物を製造する。
【００２６】
なお、複数の印刷ユニットのいずれから印刷しても、可変情報印刷物を製造することができるのであり、複数の印刷ユニットのいずれから印刷する製造方法を採用しても本願発明に含まれる。
【００２７】
（請求項５）
請求項５記載の発明は、請求項４記載の可変情報印刷物の製造方法を限定したものであり、
印刷装置につき、各印刷ユニットの刷版における印刷面の段数が、１以外の公約数を持たない組合せとしたことを特徴とする可変情報印刷物の製造方法に係る。
【００２８】
（請求項６）
請求項６記載の発明は、請求項４または請求項５のいずれかに記載の可変情報印刷物の製造方法を限定したものであり、
印刷装置につき、各印刷ユニットの刷版における印刷面が刷版の幅方向に複数存在する場合に、同一段における印刷面の各列には、同一の画像部分が存在しないようにしたことを特徴とする可変情報印刷物の製造方法に係る。
【００２９】
【発明の実施の形態】
以下、本発明を実施の形態及び図面に基づいて、更に詳しく説明する。ここで使用する図面は、図１から図１０である。
【００３０】
（図１）
図１に示すのは、実際に刷り上がった印刷物の例である。印刷物ひとつひとつを「面」といい、縦方向における「面」の繰り返し数を「段」、横方向における「面」の繰り返し数を「列」という。また、縦方向における「面」と「面」との間を「ドブ」といい、一つの「面」および一つの「ドブ」との合計寸法を「１ピッチ」という。
この印刷物は三桁の数字を可変情報としたスピードくじを印刷したものであり、「スピードくじ」という文字部分および「クラゲの図柄」は不変パート、三桁の数字部分を「可変パート」という。
【００３１】
（図２）
次に、図２では、もっとも単純なモデルを用いて、本願発明の基本原理を説明する。
このモデルは、二桁の可変情報を、印刷媒体たるカットシートへ印刷するためのモデルである。
各印刷ユニットの刷版は、可変情報の特定桁の印刷を司っている。版胴ローラＡへ固定される刷版は、一の位に位置すべき可変情報（５段×２列＝１０種類）を印刷できるものである。版胴ローラＢへ固定される刷版は、十の位に位置すべき可変情報（４段×２列＝８種類）を印刷できるものである。
以上のような印刷ユニットを備える印刷装置によって、印刷物には、５段×２列の面において二桁の数字による可変情報が印刷できるものとしている。
【００３２】
まず、版胴ローラＡによって５枚のカットシートを印刷する。この時点では、どのカットシート（Ａ１）も同じであり、可変情報は１０種類しか存在しない。
【００３３】
次に、版胴ローラＢを用いて、それら５枚のカットシートに対して重ね印刷を施す。すると、１枚目のカットシートに対しては、版胴ローラＢが１回転と４分の１回転することによって、十の位の印刷が終わる。２枚目のカットシートに対しては、既に４分の１回転した版胴ローラＢが十の位の印刷を始め、３回転目の４分の２まで回転した段階で十の位の印刷が終わる。つまり、１枚目のカットシートにおける十の位と２枚目のカットシートにおける十の位とは版胴ローラＢの１段分ずれている。このため、１枚目と２枚目とに印刷された二桁の可変情報はすべて異なることとなる。
【００３４】
同様に、３枚目のカットシートに対しては、既に４分の２回転した版胴ローラＢが十の位の印刷を始め、４回転目の４分の３まで回転した段階で十の位の印刷が終わる。４枚目のカットシートに対しては、既に４分の３回転した版胴ローラＢが十の位の印刷を始め、５回転した段階で十の位の印刷が終わる。
【００３５】
さて、５枚目のカットシートは、１枚目と全く同じカットシートができあがる。版胴ローラＢの回転開始位置と回転終了位置とが同じになってしまうからである。したがって、版胴ローラＡと版胴ローラＢとの組み合わせによって印刷できる可変情報は、印刷物４枚分、すなわち、４０種類の可変情報を印刷できることとなる。ただし、この４０種類の可変情報は、二桁の数字を１から４０まで順番に並べたものではない。
【００３６】
なお、カットシートにて印刷したとして説明しているのは、発明概念を把握するためであり、ロール紙に連続して印刷することもできることは述べるまでもない。特に、可変情報を含む印刷物はシール印刷であることが望まれる場合も多く、その場合にはシール貼付工程の作業効率から、ロール紙への印刷を行うことが一般的である。
【００３７】
（図３）
図３に示すのは、図２に示すモデルに対し、版胴ローラＣを追加したものである。この版胴ローラＣは、百の位に位置すべき可変情報（３段×２列＝６種類）を印刷できるものである。そして、カットシートは、５段×２列の枠組みによる三桁の可変情報が印刷できるものとしている。
【００３８】
版胴ローラＡおよびＢによる印刷は、上述の通りであるので説明を省略するが、カットシートは１２枚を印刷したとする。この段階では、十の位および一の位を印刷したカットシート４枚分ずつ３組の可変情報が印刷されている。
【００３９】
さて、版胴ローラＣを用いて、１枚目のカットシートに対して重ね印刷を施す。すると、版胴ローラＣが１回転と３分の２回転することによって、百の位の印刷が終わる。２枚目のカットシートに対しては、既に３分の２回転した版胴ローラＣが百の位の印刷を始め、４回転目の３分の１まで回転した段階で百の位の印刷が終わる。更に３枚目のカットシートに対しては、５回転目が終了した段階で百の位の印刷が終わる。
【００４０】
百の位のみに注目すると、３枚のカットシートが印刷されたら４枚目は１枚目と同じ可変情報を印刷することとなる。しかし、４枚目のカットシートと１枚目のカットシートとは、十の位および一の位に印刷された可変情報が異なる。このため、４枚目のカットシートへ印刷された可変情報は、１枚目のカットシートへ印刷された可変情報とは別のものとなる。したがって、３桁の可変情報が一致するのは、１３枚目のカットシートということとなり、１２枚の異なるカットシートが印刷できる。
【００４１】
（図４，図５）
図４および図５は、印刷ユニットの主要部品を示す側面図である。１は、インキツボからインキを絡め取るインキツボ金ロール、２Ａは、インキツボ金ロール１に接触するるゴムロール、３は、ゴムロール２Ａに接触する金ロール、２Ｂは、金ロール３に接触するゴムロール、４および５は、ゴムロール２Ｂに接触する金ロール、６および７は、金ロール４，５にそれぞれ接触するゴムロール、８Ａ，８Ｂは、ゴムロール６，７にそれぞれ接触するオシレーション金ロール、９Ａ，９Ｂは、オシレーション金ロール８Ａ，８Ｂにそれぞれ接触する小径のオシレーション金ロール、１０はオシレーション金ロール９Ａへ接触する上付ゴムロール、１１は、オシレーション金ロール９Ｂへ接触する下付ゴムロールである。そして、上付ゴムロール１０および下付ゴムロール１１に接触するのが、版胴ＡまたはＢである。
【００４２】
（図６）
図６は、図２に示した実施形態の第一バリエーションを示す概念図である。図２との違いは、刷版Ｂの画像部分の可変情報を、隣り合う列において同じとしたことである。刷版Ｂによる印刷を経たカットシートＢ１〜Ｂ４を検証すれば明らかなように、刷版Ｂの画像部分の可変情報が隣り合う列において、１と１、３と３、５と５、７と７、というように同じとしているにもかかわらず、可変情報は全て異なる。これは、一の位を司る刷版Ａの画像部分が全て異なっているためである。
【００４３】
（図７）
図７は、図２に示した実施形態の第二バリエーションを示す概念図である。図２との違いは、刷版Ｂの画像部分の可変情報を、隣り合う列において同じとし、更にそれを二桁のアルファベット文字としたことである。ここで明らかなように、印刷された可変情報は三桁に見えるが、本発明に係る印刷技術の概念からすれば、刷版Ｂの画像部分は、刷版Ａによって印刷された可変情報の隣に別の一の可変情報を印刷するためのものに過ぎない。
【００４４】
なお、図示は省略するが、刷版Ｂの画像部分におけるアルファベットの一文字を、他の一文字と別の色彩にて印刷する場合を想定する。この場合、刷版Ｂ’が必要となるが、この刷版Ｂ’は、本発明に係る印刷技術の概念上では、刷版Ｂの一部に過ぎない。並んだアルファベット二文字が１セットの可変情報と考えれば済むからである。
【００４５】
（図８、図９）
図８は、本発明を利用した印刷物の使用例を示す図である。印刷媒体には、中央部分に可変パートを配置し、その可変パートの周囲に不変パートを配置している。また、可変パートは、コインなどで削り取ることが可能なスクラッチ印刷によってマスクされている。この可変パートは、「田」の字形に区分された四つの面から構成されており、この四面それぞれに花のイラストが印刷される。
【００４６】
この可変パートを印刷するための刷版ＡおよびＢを示したのが、図９である。刷版Ａ，Ｂとも２列の面を印刷できるものであり、刷版Ａは五段、刷版Ｂは四段である。刷版Ａは、「田」の字形に区分された四つの可変情報エリアのうち、右側二コマを可変情報用画像部分としており、左側二コマを可変情報用非画像部分、すなわち空白印刷用の部分としている。一方、刷版Ｂは、「田」の字形に区分された四つの可変情報エリアのうち、左側二コマを可変情報用画像部分としており、右側二コマを可変情報用非画像部分としている。
【００４７】
図９に示す刷版Ａの可変情報用画像部分については、右列一段目から、サクラ、バラ、アサガオの三種類のうちから二つが選ばれて可変情報用画像部分が構成される。刷版Ｂのの可変情報用画像部分についても、右列一段目から、サクラ、バラ、アサガオの三種類のうちから二つが選ばれて可変情報用画像部分が構成される。
図８に示すように、この印刷物は○×商店街のための「フラワースロットル」というスピードくじであり、上述のようにして配置印刷された花が、「田」の字形に区分された四つの可変情報エリアにおいてすべて同じであれば「当たり」となる。換言すれば、刷版ＡおよびＢにおいて、当たりの印刷数を調整できる。
【００４８】
（図１０）
図１０は、印刷ユニットの一単位の概念を説明するための図であり、図９との比較において説明する。花のイラスト原版の種類が限られているが、バリエーションを増やしたいような場合において、図９における刷版Ａの役割を果たす刷版を、Ａ−１およびＡ−２の二つに分ける。そして、Ａ−１およびＡ−２それぞれの刷版において、「田」の字形に区分された四つの可変情報エリアのうち、一つずつしか可変情報用画像部分を有しないようにする。
【００４９】
このように構成した刷版Ａ−１およびＡ−２において、それぞれ別の色のインクを用いれば、イラスト原版の種類が少なくても、バリエーションを増やすことができる。前述したデジタル処理による可変情報印刷の技術では行えなかった多色印刷が、本発明を採用すれば行えることとなる。
なお、刷版Ａ−１およびＡ−２は、本願発明の「印刷ユニット」の概念としては一つであると考えることができる。
【００５０】
【発明の効果】
請求項１から請求項３に記載の発明によれば、可変情報を含む印刷物であっても、可変情報を含まない印刷物と差のない印刷速度、および印刷品質にて印刷を可能とする印刷装置を提供することができた。
また、請求項４から請求項６に記載の発明によれば、可変情報を含む印刷物であっても、可変情報を含まない印刷物と差のない印刷速度、および印刷品質にて印刷を可能とする可変情報印刷物の製造方法を提供することができた。
【図面の簡単な説明】
【図１】  説明に用いる用語を明らかにするための説明図である。
【図２】  本願発明の原理を示すための実施形態の概念図である。
【図３】  三桁の可変情報の印刷を示す、本願発明の概念図である。
【図４】  印刷ユニットの主要部品を示す側面図である。
【図５】  印刷ユニットの主要部品を示す側面図である。
【図６】  図２に示した実施形態の第一バリエーションを示す概念図である。
【図７】  図２に示した実施形態の第二バリエーションを示す概念図である。
【図８】  本発明を利用した印刷物の使用例を示す図である。
【図９】  図８に示した使用例を印刷する場合の刷版の構造を示す図である。
【図１０】  印刷ユニットの一単位の概念を説明するための図である。
【符号の説明】
Ａ    版胴                      Ｂ    版胴
Ｃ    版胴
Ａ１    カットシート            Ｂ１〜Ｂ４    カットシート
Ｃ１〜Ｃ１２    カットシート
１    インキツボ金ロール
２Ａ，２Ｂ  ゴムロール
３，４，５    金ロール
６，７    ゴムロール
８Ａ，８Ｂ，９Ａ，９Ｂ  オシレーション金ロール
１０    上付ゴムロール          １１    下付ゴムロール
【図１】
0003803690.tif 000002
【図２】
0003803690.tif 000003
【図３】
0003803690.tif 000004
【図４】
0003803690.tif 000005
【図５】
0003803690.tif 000006
【図６】
0003803690.tif 000007
【図７】
0003803690.tif 000008
【図８】
0003803690.tif 000009
【図９】
0003803690.tif 000010
【図１０】
0003803690.tif 000011